(57)【要約】【課題】  カメラで撮像すると、家屋の壁面が歪んでしまい、貼り付けたサイディングボードが正確な形状にならないという問題があった。【解決手段】  パーソナルコンピュータ１にレーザー距離計測装置２からの距離データを無線で受信する受信部１ａが装着され、受信部１ａに入力された距離データは画像変換部１ｄで画像信号に変換され、パーソナルコンピュータ１にキャド３から家屋の側面の画像信号を入力する入力部１ｂが装着され、サイディングボードの長さａ及び幅ｂのデータを入力する入力装置４がパーソナルコンピュータ１の入力部１ｂに接続され、入力部１ｂにサイディングボード形状作成部１ｃが装着され、入力部１ｂに入力されたデータ及びサイディングボード形状作成部１ｃで作成されたサイディングボード形状を表示信号に変換する画像変換部１ｄが装着され、画像変換部１ｄで変換された表示信号は表示部５で表示される。【選択図】        図１
2012162863.tif 000002
【特許請求の範囲】
【請求項１】
レーザー光送受信部、該レーザー光送信部から照射したレーザー光の反射光をレーザー光受信部で受信し、レーザー光の送信から受信までの時間を演算するＣＰＵからなる演算部、該演算部で演算した距離を表示する表示部、前記演算部で演算した距離信号を無線で送信する無線送信部、該無線送信部に送信を行わせるスイッチからなるレーザー距離装置と、該レーザー距離装置の無線送信部から送信された距離信号を受信する無線受信部、家屋の側面を表示する表示部、前記無線送信部からの距離信号とサイディングボードの形状データを入力する入力装置、前記無線送信部からの距離信号と入力装置からのデータ信号を画像信号に変換する画像変換部を内蔵するパーソナルコンピュータと、該パーソナルコンピュータの前記画像変換部で変換された画像信号を表示する表示装置と、前記パーソナルコンピュータは前記レーザー距離装置からのデータを書き込まれた家屋の側壁のデータ及び前記サイディングボードの形状データに基づいて、前記家屋の側壁の画像信号に前記家屋の側壁に貼り付けるサイディングボードの形状を作成するサイディングボード形状作成部と、該サイディングボード形状作成部で作成されたサイディングボードの形状データを前記表示部に表示する画像信号に変換する形状データ画像変換部とを有することを特徴とするサイディングボード貼り付け形状作成装置。
【発明の詳細な説明】
【技術分野】
【０００１】
本発明は、家屋の形状寸法をレーザー距離計で測定し、家屋の壁材として、表面に煉瓦状の柄や岩石状の柄が形成された窯業係セメントからなるサイディングボードを家屋の側面にあわせて貼り付ける形状を作成するサイディングボード貼り付け形状作成装置に関するものである。
【背景技術】
【０００２】
サイディングボード貼り付け形状作成装置として、家屋の側壁を撮像するカメラと、該家屋の側壁の一部を実測したデータ信号とサイディングボードの形状データを入力する入力装置と、前記カメラからの映像信号と入力装置からのデータ信号を画像信号に変換する画像変換部を内蔵するパーソナルコンピュータと、該パーソナルコンピュータの前記画像変換部で変換された画像信号を表示する表示装置と、前記側壁の一部を実測したデータ信号を前記表示装置に表示された画像に書き込む書き込み装置と、前記パーソナルコンピュータは前記書き込まれた家屋の側壁の一部の実測データ及び前記サイディングボードの形状データに基づいて、前記家屋の側壁の画像信号に前記家屋の側壁に貼り付けるサイディングボードの形状を作成するサイディングボード形状作成部と、該サイディングボード形状作成部で作成されたサイディングボードの形状データを前記表示部に表示する画像信号に変換する形状データ画像変換部とを有することを特徴とする装置を本出願人が提案した。
【０００３】
しかしながら、このようなサイディングボード貼り付け形状作成装置では、家屋の壁面をカメラで撮像したデータと、家屋の一部を実際に測定し、測定したデータをパーソナルコンピュータに入力して、壁面の形状を作成し、作成され壁面の映像に貼り付けるサイディングボードの形状を書き込んで、サイディングボードの形状を決定していたが、カメラで撮像すると、家屋の壁面が歪んでしまうので、正確な壁面の長さデータをパーソナルコンピュータに入力することができないので、この方式によって作成したサイディングボードを家屋の壁面に貼り付けた場合、貼り付けたサイディングボードが長すぎたり、短すぎたりして、正確なサイディングボードの形状にならないという問題があった。
【先行技術文献】
【特許文献】
【０００４】
【特許文献１】特願２０１０−０５２５４９号公報
【特許文献２】特開２００１−０２１３４４号公報
【発明の開示】
【発明が解決しようとする課題】
【０００５】
解決しようとする問題点は、カメラで撮像すると、家屋の壁面が歪んでしまい、正確な壁面の長さデータをパーソナルコンピュータに入力することができないので、この方式によって作成したサイディングボードを家屋の壁面に貼り付けた場合、貼り付けたサイディングボードが長すぎたり、短すぎたりして、正確なサイディングボードの形状にならないという問題があった。
【課題を解決するための手段】
【０００６】
本発明は、レーザー光送受信部、該レーザー光送信部から照射したレーザー光の反射光をレーザー光受信部で受信し、レーザー光の送信から受信までの時間を演算するＣＰＵからなる演算部、該演算部で演算した距離を表示する表示部、前記演算部で演算した距離信号を無線で送信する無線送信部、該無線送信部に送信を行わせるスイッチからなるレーザー距離計測装置と、該レーザー距離計測装置の無線送信部から送信された距離信号を受信する無線受信部、家屋の側面を表示する表示部、前記無線送信部からの距離信号とサイディングボードの形状データを入力する入力装置、前記無線送信部からの距離信号と入力装置からのデータ信号を画像信号に変換する画像変換部を内蔵するパーソナルコンピュータと、該パーソナルコンピュータの前記画像変換部で変換された画像信号を表示する表示装置と、前記パーソナルコンピュータは前記レーザー距離計測装置からのデータを書き込まれた家屋の側壁のデータ及び前記サイディングボードの形状データに基づいて、前記家屋の側壁の画像信号に前記家屋の側壁に貼り付けるサイディングボードの形状を作成するサイディングボード形状作成部と、該サイディングボード形状作成部で作成されたサイディングボードの形状データを前記表示部に表示する画像信号に変換する形状データ画像変換部とを有するものである。
【発明の効果】
【０００７】
本発明では、サイディングボードを貼り付ける家屋の壁面の距離データをレーザー距離計測装置で計測して、距離信号をパーソナルコンピュータに入力することにより、パーソナルコンピュータの表示装置に家屋の壁面が表示され、又、パーソナルコンピュータにサイディングボードの形状のデータを入力することにより、パーソナルコンピュータのサイディングボード形状作成部で家屋の壁面に貼り付けるサイディングボードの形状を簡単に作成することができ、作業能率が非常に良いという利点がある。
【図面の簡単な説明】
【０００８】
【図１】図１は本発明の実施例のサイディングボード貼り付け形状作成装置のブロック図である。
【図２】図２は図１で使用するレーザー距離計測装置のブロック図である。
【図３】図３はサイディングボードを貼り付ける家屋の壁面図である。
【図４】図４は図３のサイディングボードを貼り付ける家屋の壁面に基準線を書き入れた図である。
【図５】図５は図３の家屋の壁面に貼り付けるサイディングボードの形状を作成した図である。
【発明を実施するための形態】
【０００９】
本発明では、キャドによって家屋の壁面の画像をパーソナルコンピュータに取り込み、パーソナルコンピュータに取り込んだ画像信号を表示装置で表示し、レーザー距離計測装置で計測した家屋の壁面の長さデータとサイディングボードの形状を書き込み装置で表示装置に書き込み、パーソナルコンピュータは前記書き込まれた家屋の計測データ及び前記サイディングボードの形状データに基づいて、家屋の側面の画像信号に前記家屋の側面に貼り付けるサイディングボードの形状を作成するものである。
【実施例】
【００１０】
図１は本発明の実施例の本発明の実施例のサイディングボード貼り付け形状作成装置のブロック図で、パーソナルコンピュータ１にレーザー距離計測装置２からの距離データを無線で受信する受信部１ａが装着され、受信部１ａに入力された距離データは画像変換部１ｄで画像信号に変換され、又、パーソナルコンピュータ１にキャド３から家屋の側面の画像信号を入力する入力部１ｂが装着され、さらに、サイディングボードの長さａ及び幅ｂのデータを入力する入力装置４がパーソナルコンピュータ１の入力部１ｂに接続され、又、入力部１ｂにサイディングボード形状作成部１ｃが装着され、入力部１ｂに入力されたデータ及びサイディングボード形状作成部１ｃで作成されたサイディングボード形状を表示信号に変換する画像変換部１ｄが装着され、この画像変換部１ｄで変換された表示信号は表示部５で表示される。
【００１１】
図２は図１の実施例のサイディングボード貼り付け形状作成装置に使用されるレーザー距離計測装置２のブロック図で、レーザー距離計測装置２にレーザー光を照射する照射半導体２ａ、レーザー光の反射光を受信する受信半導体２ｂ、レーザー光を照射して受信するまでの時間によって、レーザー光を照射した位置から反射位置までの距離を計算するＣＰＵからなる演算部２ｃ、演算した距離データを表示する表示部２ｄ、演算した距離を無線で送信する送信部２ｅ及び送信を可能にする送信スイッチ２ｆによって構成されている。
【００１２】
このように構成された本発明のサイディングボード貼り付け形状作成装置の動作を説明すると、まず、パーソナルコンピュータ１はサイディングボードを貼り付ける家屋の壁面の画像信号をキャド３から入力部１ｂに入力すると、パーソナルコンピュータ１に内蔵された画像変換部１ｄで表示信号に変換し、パーソナルコンピュータ１に装着された表示部５に、図３に示すように、家屋の壁面の画像Ａが表示されるが、家屋の壁面の映像Ａには、１階に出入り口Ｂ、窓Ｃが表示され、又、２階に窓Ｄと小窓Ｅ、Ｆ、バルコニーＧ、Ｈが表示される。
【００１３】
又、パーソナルコンピュータ１にレーザー距離計測装置２からの距離データを無線で受信する受信部１ｂ及び入力装置４が接続され、入力装置４で家屋の壁面の映像Ａに例えば家屋の壁面の右端から１階の出入り口Ｂの左端Ａ１までの距離を入力装置４で指示すると、レーザー距離計測装置２で計測した距離データを指示した位置に書き込み、又、サイディングボードの長さａ及び幅ｂのデータ及び例えば家屋の壁面の右端から１階の出入り口Ｂの左端Ａ１までの距離をレーザー距離計測装置２で計測したデータｃを入力装置４で指示すると、パーソナルコンピュータ１に入力し、レーザー距離計測装置２で計測したデータｃを表示部３に表示された家屋の壁面の画像Ａに書き込み、パーソナルコンピュータ１に内蔵されたサイディングボード形状作成部２ｃは、図３に示すように、表示部５に家屋の壁面の画像Ａの右端Ａ１からサイディングボードＳの長さａの位置に縦線ｄを表示し、さらに縦線ｄからサイディングボードの長さａの位置に縦線eを表示し、又、家屋の壁面の画像Ａの下端Ａ２からサイディングボードＳの幅ｂの横線ｆを順次ｆ１、ｆ２、ｆ３・・・ｆ１７まで表示する。
【００１４】
このように表示することによって、図４に示すように、サイディングボードＳを１枚使用するサイディングボードＳ１が家屋の壁面の画像Ａに表示され、出入り口Ｂの下のサイディングボードＳ２は出入り口Ｂの部分を切り欠かれ、出入り口Ｂの右側は家屋の壁面の画像Ａの右端Ａ１から出入り口Ｂまでの幅のサイディングボードＳ３が表示され、出入り口Ｂの左側は出入り口Ｂと縦線ｅの幅のサイディングボードＳ４が表示され、１階の窓Ｃの下側のサイディングボードＳ１の上は１枚のサイディングボードＳ１の１階の窓Ｃが切り欠かれたサイディングボードＳ５が表示され、１階の窓Ｃの右側は縦線ｄと窓Ｃの幅のサイディングボードＳ６が表示され、１階の窓Ｃの上は１階の窓Ｃが切り欠かれたサイディングボードＳ７が表示され、さらに、縦線ｅの１階の左側と家屋の壁面の画像Ａの左端Ａ３の幅にサイディングボードＳ８とＳ９が記載され、１階の上端Ａ４はバルコニーＧが形成されているので、サイディングボードＳ８の上に幅の狭いサイディングボードＳ９が表示され、又、サイディングボードＳ１の上に上端Ａ４のバルコニーＧを除いたサイディングボードＳ１０が表示され、さらに、サイディングボードＳ１０の上に縦線ｅと家屋の壁面の画像Ａの左端Ａ５の幅のサイディングボードＳ１１が表示され、２階の窓Ｄの下に１枚のサイディングボードＳから窓Ｄの下側を切り欠いたサイディングボードＳ１２が表示され、又、窓Ｄと家屋の壁面の画像Ａの右端Ａ１の幅のサイディングボードＳ１３が表示され、小窓Ｆと家屋の壁面の画像Ａの右端Ａ１の幅のサイディングボードＳ１４が表示され、小窓ＥとＦの間にサイディングボードＳ１５が表示され、小窓Ｅ、Ｆの上に小窓Ｅ、Ｆの上側部分を切り欠いたサイディングボードＳ１６が表示され、バルコニーＨの下にサイディングボードＳ１の幅のサイディングボードＳ１７が表示され、バルコニーＨのすぐ下に幅の狭いサイディングボードＳ１８が表示され、バルコニーＧの下にサイディングボードＳ１９が表示されている。
【００１５】
本発明は、このようにキャド３から入力した家屋の壁面の画像Ａの信号をパーソナルコンピュータ１に入力し、入力装置５でサイディングボードの長さａ及び幅ｂのデータを入力し、家屋の壁面の右端から１階の出入り口Ｂの左端Ａ１までの距離をレーザー計測装置２で計測したデータｃをパーソナルコンピュータ１に入力すると、パーソナルコンピュータ１に内蔵するサイディングボード形状作成部２ｂは家屋の壁面の表示画像ＡにサイディングボードＳの形状Ｓ１と出入り口Ｂや窓Ｃ、Ｄ、小窓Ｅ、Ｆ及びバルコニーＧ、Ｈの部分を考慮して、１枚のサイディングボードＳ１とそれぞれ小分けしたサイディングボードＳ２〜Ｓ１８が表示部５の家屋の壁面の表示画像Ａに表示されるので、この画像を工場に転送することにより、工場でサイディングボードＳ１とそれぞれに切り分けるサイディングボードＳ２〜Ｓ１８を作成することができる。
【産業上の利用可能性】
【００１６】
なお、上記実施例では、大きい家屋の側壁について。サイディングボードＳの貼り付け形状を作成するようにしたが、小さな家屋や種々の形状の家屋についても同様に作成することができる。
【符号の説明】
【００１７】
１            パーソナルコンピュータ
２            レーザー距離計測装置
３            キャド
４            入力装置
５            表示部
【図１】
2012162863.tif 000003
【図２】
2012162863.tif 000004
【図３】
2012162863.tif 000005
【図４】
2012162863.tif 000006
【図５】
2012162863.tif 000007